(57)【特許請求の範囲】
【請求項１】
出湯に供される湯を蓄えるための貯湯タンク内の水を燃料電池の排熱を回収して昇温する貯湯システムであって、
前記貯湯タンクの蓄熱量が、前記燃料電池が稼働を停止する所定の上限量未満であり、かつ、前記燃料電池の排熱を回収するための循環回路の所定箇所の温度が自然放熱に相当する温度低下を示した場合に、前記燃料電池へのガスの供給が停止したと判定する
ことを特徴とする貯湯システム。
【請求項２】
出湯に供される湯を蓄えるための貯湯タンク内の水を燃料電池の排熱を回収して昇温する貯湯システムであって、
前記貯湯タンクの蓄熱量が、前記燃料電池が稼働を停止する所定の上限量未満であり、かつ、出湯時に前記貯湯タンクから供給される湯を追加加熱するガス燃焼式の熱源機で点火エラーが生じた場合に、前記燃料電池へのガスの供給が停止したと判定する
ことを特徴とする貯湯システム。
【請求項３】
出湯に供される湯を蓄えるための貯湯タンク内の水を燃料電池の排熱を回収して昇温する貯湯システムであって、
前記貯湯タンクの蓄熱量が、前記燃料電池が稼働を停止する所定の上限量未満であり、かつ、前記燃料電池の排熱を回収するための循環回路の所定箇所の温度が自然放熱に相当する温度低下を示し、かつ、出湯時に前記貯湯タンクから供給される湯を追加加熱するガス燃焼式の熱源機で点火エラーが生じた場合に、前記燃料電池へのガスの供給が停止したと判定する
ことを特徴とする貯湯システム。
【請求項４】
前記燃料電池へのガスの供給が停止したと判定した場合に、湯を使うか否かをユーザに問い合わせをし、該問い合わせに対して湯を使う旨の回答を受けた場合に、前記貯湯タンク内の水を電気式ヒータで加熱する
ことを特徴とする請求項１乃至３のいずれか１つに記載の貯湯システム。
【請求項５】
前記燃料電池へのガスの供給が停止した後、前記燃料電池の起動を試み、前記燃料電池が稼働したら、前記電気式ヒータでの加熱を終了させる
ことを特徴とする請求項４に記載の貯湯システム。
【発明の詳細な説明】
【技術分野】
【０００１】
本発明は、貯湯タンク内の湯を燃料電池の排熱を回収して加熱して給湯する貯湯システムに関する。
【背景技術】
【０００２】
家庭用の燃料電池は、都市ガスやプロパンガスを燃料として発電する。そのため、ガスの供給が停止すると発電を継続できなくなるので、燃料電池の運転を停止させる必要がある。
【０００３】
たとえば、特許文献１では、センサを新たに設けることなく、ガスの供給停止を判定可能な燃料電池システムが開示されている。このシステムは、ガスを燃料電池に送り込むブースターポンプの出力が燃料電池の発電量が一定になるように制御されることに着目し、ブースターポンプの出力が一定以上になった場合に、ガスの供給圧が低下したと判断する。
【０００４】
一方、燃料電池の排熱を回収して貯湯タンク内の水を昇温する貯湯システムでは、燃料電池の稼働が長時間停止すると、貯湯タンク内の水温が低下してレジオネラ菌等が発生するおそれがある。特許文献２には、燃料電池が所定時間以上稼働しない場合に、電気式ヒータを商用電源で駆動して貯湯タンク内の殺菌を行う燃料電池システムが開示されている。
【０００５】
また、貯湯タンク内の水を、燃料電池の排熱を回収するための熱交換器を通る循環回路に循環させて昇温する貯湯システムにおいて、系統電源が停電したとき、燃料電池の発電した電力を、循環回路に設けた電気式ヒータに供給するように制御して、その循環する湯水を昇温する技術が開示される（特許文献３参照）。
【先行技術文献】
【特許文献】
【０００６】
【特許文献１】特開２０１２−２３４６９０号公報
【特許文献２】特開２００９−６４７５３号公報
【特許文献３】特開２００７−２７２１５８号公報
【発明の概要】
【発明が解決しようとする課題】
【０００７】
貯湯タンク内の湯水の温度が低い場合に、貯湯タンクから供給される湯を、ガス燃焼式の給湯器を利用して追い加熱して出湯する貯湯システムでは、ガスの供給が停止すると、燃料電池が稼働しないので排熱回収で貯湯タンク内の湯水を昇温できず、かつ、給湯器での追い加熱もできないので、お湯が一切供給できなくなってしまう。また、ガスの供給が停止すると、貯湯タンク内の湯水の温度を高めて殺菌することもできない。
【０００８】
特許文献１に開示の技術では、ガスの供給停止を判定するために燃料電池内部のブースターポンプの稼働状態を把握する必要がある。しかし、燃料電池と組み合わされる貯湯システム側の制御部では、燃料電池内部のブースターポンプの稼働状態まで把握することはできないので、同様の方法でガスの供給停止を判定することはできない。
【０００９】
また、貯湯システムにおいて、ガスの供給停止が分からなければ、ガスの供給停止により湯を作れなくなる事態への対応策も講じることができない。
【００１０】
本発明は、上記の問題を解決しようとするものであり、燃料電池へのガスの供給停止を判定することのできる貯湯システムを提供することを目的としている。
【課題を解決するための手段】
【００１１】
かかる目的を達成するための本発明の要旨とするところは、次の各項の発明に存する。
【００１２】
［１］出湯に供される湯を蓄えるための貯湯タンク内の水を燃料電池の排熱を回収して昇温する貯湯システムであって、
前記貯湯タンクの蓄熱量が、前記燃料電池が稼働を停止する所定の上限量未満であり、かつ、前記燃料電池の排熱を回収するための循環回路の所定箇所の温度が自然放熱に相当する温度低下を示した場合に、前記燃料電池へのガスの供給が停止したと判定する
ことを特徴とする貯湯システム。
［２］出湯に供される湯を蓄えるための貯湯タンク内の水を燃料電池の排熱を回収して昇温する貯湯システムであって、
前記貯湯タンクの蓄熱量が、前記燃料電池が稼働を停止する所定の上限量未満であり、かつ、出湯時に前記貯湯タンクから供給される湯を追加加熱するガス燃焼式の熱源機で点火エラーが生じた場合に、前記燃料電池へのガスの供給が停止したと判定する
ことを特徴とする貯湯システム。
［３］出湯に供される湯を蓄えるための貯湯タンク内の水を燃料電池の排熱を回収して昇温する貯湯システムであって、
前記貯湯タンクの蓄熱量が、前記燃料電池が稼働を停止する所定の上限量未満であり、かつ、前記燃料電池の排熱を回収するための循環回路の所定箇所の温度が自然放熱に相当する温度低下を示し、かつ、出湯時に前記貯湯タンクから供給される湯を追加加熱するガス燃焼式の熱源機で点火エラーが生じた場合に、前記燃料電池へのガスの供給が停止したと判定する
ことを特徴とする貯湯システム。
【００１３】
上記発明では、燃料電池へのガス供給が停止しているか否かを、貯湯システムで間接的に判断することができる。
【００１４】
［４］前記燃料電池へのガスの供給が停止したと判定した場合に、湯を使うか否かをユーザに問い合わせをし、該問い合わせに対して湯を使う旨の回答を受けた場合に、前記貯湯タンク内の水を電気式ヒータで加熱する
ことを特徴とする［１］乃至［３］のいずれか１つに記載の貯湯システム。
【００１５】
上記発明では、ガスの供給が停止しても、お湯の使える状態を確保することができる。
【００１６】
［５］前記燃料電池へのガスの供給が停止した後、前記燃料電池の起動を試み、前記燃料電池が稼働したら、前記電気式ヒータでの加熱を終了させる
ことを特徴とする［４］に記載の貯湯システム。
【００１７】
上記発明では、ガスの供給が再開された場合に、早期に燃料電池を稼働させて、排熱回収により、貯湯タンク内の湯水を昇温することができる。
【発明の効果】
【００１８】
本発明に係る貯湯システムによれば、燃料電池へのガスの供給停止を判定することができる。これにより、ガスの供給停止で湯を作れなくなる事態への対応策を講じることが可能になる。
【図面の簡単な説明】
【００１９】
【図１】本発明の貯湯システムを適用した風呂給湯システムの概略構成を示す図である。
【図２】風呂給湯器の構成例を示す図である。
【図３】排熱回収動作における湯水の流れを示す説明図である。
【図４】第１モードの給湯動作における湯水の流れを示す説明図である。
【図５】第２モードの給湯動作における湯水の流れを示す説明図である。
【図６】第３モードの給湯動作における湯水の流れを示す説明図である。
【図７】注湯動作における湯水の流れを示す説明図である。
【図８】ガス供給遮断を判定する処理を示す流れ図である。
【図９】ガス供給遮断時にお湯を確保する動作を示す流れ図である。
【図１０】貯湯タンク内の湯水を燃料電池の電気式ヒータで昇温する場合の通水経路を示す図である。
【発明を実施するための形態】
【００２０】
以下、図面に基づき本発明の実施の形態を説明する。
【００２１】
図１は、本発明の貯湯システムを適用した風呂給湯システム１０の構成を示している。風呂給湯システム１０は、貯湯タンクユニット１１と、熱源機としての燃料電池４と、出湯時に貯湯タンクユニットから供給される湯を追加加熱するバックアップ熱源機としての風呂給湯器７０とを備えて構成される。なお、燃料電池４は、当該燃料電池４の排熱を回収するための排熱回収装置５０を内蔵している。図中、装置間の配管や外部配管は２重の矢印で示してある。
【００２２】
貯湯タンクユニット１１は、給水管１２から供給される給水を蓄える貯湯タンク１３を備えている。貯湯タンク１３は中空略円柱状のタンクであり、下部には給水口１４が設けてあり、上部には出湯口１５が設けてある。さらに貯湯タンク１３の下部には取水口１６が、上部には戻り口１７が設けてある。
【００２３】
貯湯タンク１３は、たとえば、容量１００リットル程度を有する。貯湯タンク１３には、底から２０リットルの水位の箇所に、その箇所の水温を検出する第１温度センサ１８ａが、底から４０リットルの水位の箇所に、その箇所の水温を検出する第２温度センサ１８ｂが、底から６０リットルの水位の箇所に、その箇所の水温を検出する第３温度センサ１８ｃが、底から８０リットルの水位の箇所に、その箇所の水温を検出する湯切れ温度センサ１８ｄが、さらに貯湯タンク１３内のほぼ最上部に、その箇所の水温を検出するタンク上部温度センサ１８ｅがそれぞれ設けてある。
【００２４】
排熱回収装置５０は、燃料電池４の排熱で内部の熱媒体流体が昇温される一次循環回路５６を備えている。一次循環回路５６には、熱媒体流体を一次循環回路５６に循環させるポンプ５７と、一次循環回路５６を循環する熱媒体流体を加熱するための電気式ヒータ５８が設けられている。排熱回収装置５０は燃料電池４内のセルスタック等で発生する熱を回収する。一次循環回路５６内にある電気式ヒータ５８は燃料電池４の起動時にセルスタック等を温めて起動を助けるために用いられる。
【００２５】
さらに排熱回収装置５０は、一次循環回路５６を通る熱媒体流体と、排熱回収循環経路を循環する湯水との間で熱交換するための排熱回収熱交換器５１と、排熱回収ポンプ５２を有する。貯湯タンク１３と排熱回収熱交換器５１は、これらの間に貯湯タンク１３の水を循環させる排熱回収循環経路が構成されるように熱回収配管５３（５３ａ、５３ｂ）で接続されている。詳細には、貯湯タンク１３の取水口１６には熱回収配管（低温）５３ａの一端が接続され、排熱回収熱交換器５１の二次通水管５１ａの入り側に熱回収配管（低温）５３ａの他端が接続されている。排熱回収ポンプ５２は、二次通水管５１ａの入り側近傍の熱回収配管（低温）５３ａに介挿されており、排熱回収ポンプ５２は熱回収配管（低温）５３ａ内の水を貯湯タンク１３の取水口１６側から排熱回収熱交換器５１の二次通水管５１ａの入り側に向けて送水する。
【００２６】
排熱回収熱交換器５１の二次通水管５１ａの出側には熱回収配管（高温）５３ｂが接続され、熱回収配管（高温）５３ｂの他端は、貯湯タンクユニット１１内の第１三方弁２１の第１接続口２１ａに接続されている。
【００２７】
第１三方弁２１は、前述の第１接続口２１ａと、第２接続口２１ｂと第３接続口２１ｃとを備え、第１接続口２１ａと第２接続口２１ｂとを接続し第３接続口２１ｃを閉鎖するＡ方向と、第１接続口２１ａと第３接続口２１ｃとを接続し第２接続口２１ｂを閉鎖するＢ方向とに接続状態を切り替え可能に構成されている。なお、第１三方弁２１は第１接続口２１ａから流入する水の温度が所定温度以上ならばＡ方向となり、所定温度未満ならばＢ方向に切り替わるように制御部２０により制御される。
【００２８】
第１三方弁２１の第２接続口２１ｂは貯湯タンク１３の戻り口１７に配管されている。第１三方弁２１の第３接続口２１ｃにはバイパス管５４の一端が接続され、バイパス管５４の他端は貯湯タンクユニット１１内で熱回収配管（低温）５３ａに合流している。
【００２９】
第１三方弁２１の第１接続口２１ａ近傍の熱回収配管（高温）５３ｂには熱回収配管高温側温度センサ２２ａが設けてある。貯湯タンク１３の取水口１６からバイパス管５４との合流箇所までの間の熱回収配管（低温）５３ａに熱回収配管低温側温度センサ２２ｂが設けてある。
【００３０】
貯湯タンクユニット１１は、貯湯タンク１３の出湯口１５からの湯と、風呂給湯器７０からの湯と、給水とを混合する混合器２３を備えている。この混合器２３は、実際には、貯湯タンク１３の出湯口１５からの湯の混合量を調整する第１混合器２３ａと、風呂給湯器７０からの湯の混合量を調整する第２混合器２３ｂと、給水管１２からの給水の混合量を調整する第３混合器２３ｃとを有して構成される。
【００３１】
第１混合器２３ａの入り側は貯湯タンク１３の出湯口１５に配管で接続されており、この配管の途中には、過圧逃がし弁２４、吸気弁２５、タンク出口温度センサ２６が設けてある。第２混合器２３ｂの入り側は風呂給湯器７０の給湯接続口に接続配管（高温）６１で接続されている。接続配管（高温）６１のうち貯湯タンクユニット１１内の所定箇所には接続配管（高温）６１内の水温を検出する接続配管高温側温度センサ２８が設けてある。第３混合器２３ｃの入り側には給水管１２が接続されている。
【００３２】
第１混合器２３ａの出側と第２混合器２３ｂの出側は合流し、給湯高温温度センサ２９の設けられた配管を経た後、第３混合器２３ｃの出側からの配管と合流して混合器２３の出口に通じている。混合器２３の出口には給湯配管３１が接続されている。混合器２３の出口近傍の給湯配管３１には出湯温度センサ３２およびハイカット温度センサ３３が設けてある。
【００３３】
貯湯タンクユニット１１内部の給水管１２には流量センサ３４、給水温度センサ３５、減圧弁３６が設けられている。給水管１２は、これらの下流で３つに分岐し、その１つは逆止弁３７ａを介して第３混合器２３ｃの入り側に接続され、他の１つは逆止弁３７ｂを介して貯湯タンク１３の給水口１４に接続され、他の１つは逆止弁３７ｃを介して第２三方弁３８の第２接続口３８ｂに接続されている。
【００３４】
第２三方弁３８は、第１接続口３８ａと第２接続口３８ｂと第３接続口３８ｃとを備え、第１接続口３８ａと第２接続口３８ｂとを接続し第３接続口３８ｃを閉鎖したＣ方向と、第１接続口３８ａと第３接続口３８ｃとを接続し第２接続口３８ｂを閉鎖したＤ方向とに接続状態を切り替え可能になっている。第３接続口３８ｃには、ハイカット温度センサ３３の下流側で給湯配管３１から分岐した配管３１ｂが接続されている。この配管３１ｂの途中には逆止弁３９が設けてある。第２三方弁３８の第１接続口３８ａは風呂給湯器７０の給水接続口に接続配管（低温）６２を通じて接続されている。
【００３５】
さらに貯湯タンクユニット１１の取水口１６には所定の排水箇所に通じる排水管４１が接続されており、排水管４１の途中にはこの管路を開閉する排水栓４２が設けてある。
【００３６】
貯湯タンクユニット１１は、当該貯湯タンクユニット１１の動作を統括制御する制御部２０を備えている。制御部２０はＣＰＵ（Central Processing Unit）と、該ＣＰＵが実行するプログラムや固定データなどが記憶されたフラッシュＲＯＭ（Read Only Memory）と、ＣＰＵがプログラムを実行する際に各種情報を一時記憶するＲＡＭ（Random Access Memory）、各種の信号を入出力するＩ／Ｆ（Interface）部などを主要部とする回路で構成されている。制御部２０には、貯湯タンクユニット１１の各種センサからの検出信号が入力されている。また制御部２０からは各弁やその他の制御対象に対して制御信号が出力される。制御部２０はさらに燃料電池４や風呂給湯器７０と各種の情報や指令を授受するようになっている。
【００３７】
次に、バックアップ熱源機としての風呂給湯器７０の構成例を説明する。風呂給湯器７０は接続配管（低温）６２が接続された給水接続口から流入する水を加熱して出湯する機能、風呂（浴槽）２へ注湯（湯張り）する機能、浴槽内の湯水を追い焚きする機能、暖房用放熱器３に加熱した熱媒体流体を流して暖房する機能などを備えたガス燃焼式の風呂給湯器である。なお、図２では暖房機能に係る部分は省略してある。
【００３８】
風呂給湯器７０は、第１熱交換水管７２ａと第２熱交換水管７２ｂとが通る一缶二水路型の熱交換器７２と、この熱交換器７２を加熱するバーナ７３を備える。バーナ７３にはガス供給管７３ａが接続され、このガス供給管７３ａの途中には、ガスの供給／遮断を切り替えるガス弁や供給ガス量を調整する比例弁などが設けてある。
【００３９】
第１熱交換水管７２ａの入り側は入水管７４により給水接続口に接続され、第１熱交換水管７２ａの出側は出湯管７５により給湯接続口に接続されている。また、第２熱交換水管７２ｂの入り側には風呂（浴槽）２へ通じる風呂戻り管７６が、第２熱交換水管７２ｂの出側には同じく風呂（浴槽）２へ通じる風呂往き管７７がそれぞれ接続されている。
【００４０】
出湯管７５と風呂戻り管７６とは、連結管７８によって接続されており、該連結管７８の途中には、連結管７８の閉鎖／開通を切り替える注湯電磁弁７９が設けてある。また、連結管７８の接続箇所より上流側の出湯管７５の途中には、略閉鎖状態から全開状態まで開度を調整可能な水量サーボ８１が出湯水量を調整するために設けてある。水量サーボ８１の下流側には、出湯温度を検出する出湯温度センサ８２が設けてある。
【００４１】
さらに、入水管７４から分岐し、水量サーボ８１より第１熱交換水管７２ａ側の所定箇所で出湯管７５に合流・接続されたバイパス管８３を備え、このバイパス管８３の途中に、略閉鎖から全開まで開度を調整可能なバイパス調整弁８４を備えている。第１熱交換水管７２ａからの湯とバイパス管８３を経由した水とを混合して設定温度の湯になるようにバイパス調整弁８４が調整される。バイパス管８３の分岐箇所より上流側の入水管７４には、入水管７４内の流量を検出する流量センサ８５および入水温度を検知する入水温度センサ８６が設けてある。
【００４２】
風呂戻り管７６の途中には、風呂（浴槽）２内の水を、追い焚き循環経路（風呂戻り管７６、第２熱交換水管７２ｂ、風呂往き管７７）を通じて循環させるための風呂循環ポンプ８７が設けてある。風呂戻り管７６に設けた流水スイッチ８８は、風呂循環ポンプ８７を作動させたとき、追い焚き循環経路に実際に水が循環しているか否かを検出する。
【００４３】
このほか、風呂戻り管７６および風呂往き管７７には、それぞれ管内の温度を検出する風呂往き温度センサ８９ａ、風呂戻り温度センサ８９ｂが設けてある。
【００４４】
制御部９１は、ＣＰＵと、該ＣＰＵが実行するプログラムや固定データなどが記憶されたフラッシュＲＯＭと、ＣＰＵがプログラムを実行する際に各種情報を一時記憶するＲＡＭなどを主要部とする回路で構成されている。制御部９１には、風呂給湯器７０が有する各種センサ、弁、風呂循環ポンプ８７などが接続されている。
【００４５】
通常は、制御部９１に配線を介してリモコン９２が直接接続されるが、ここでは、風呂給湯器７０を貯湯タンクユニット１１側の制御部２０の制御下で動作させるために、制御部９１を配線を介して制御部２０に接続し、制御部２０に配線を介してリモコン(貯湯タンクユニット１１側と風呂給湯器７０の共通のリモコン)９２が接続されている。リモコン９２は、給湯設定温度や風呂設定温度の指定、湯張り動作や追い焚き動作の開始・終了指示、電源のオン／オフなど各種の操作をユーザから受けるスイッチ類、および動作状態や設定温度などを表示する表示部などで構成される。
【００４６】
風呂給湯器７０の制御部９１は、給湯接続口から接続配管（高温）６１へ出湯する給湯動作では、貯湯タンクユニット１１側の制御部２０から指示された温度の湯が接続配管（高温）６１へ出湯されるようにバーナ７３の燃焼量やバイパス調整弁８４の開度などを制御する。
【００４７】
風呂（浴槽）２へ注湯（湯張り）する動作では、注湯電磁弁７９を開けてバーナ７３を燃焼させた状態で水量サーボ８１の開度を調整することにより、給水接続口から流入する湯水が熱交換器７２の第１熱交換水管７２ａを通って加熱され、さらに出湯管７５から連結管７８、風呂戻り管７６および風呂往き管７７の双方（もしくは一方）を通じて風呂（浴槽）２へ流れ込む（この経路を注湯回路とする）。この際、リモコン９２でユーザが設定した風呂設定温度の湯が注湯されるようにバーナ７３の燃焼量やバイパス調整弁８４の開度などを制御する。なお、貯湯タンクユニット１１側から接続配管（低温）６２を通じて供給された湯が既に風呂設定温度に達しており風呂給湯器７０で追加の加熱が不要な場合は、バーナ７３を燃焼させずに注湯動作を行う。風呂給湯器７０は風呂（浴槽）２内の水位をチェックし、設定水位に達すると注湯動作は終了する。
【００４８】
追い焚き動作では、注湯電磁弁７９を閉鎖し、風呂循環ポンプ８７を作動させた状態でバーナ７３を燃焼させる。これにより風呂（浴槽）２内の湯水が風呂戻り管７６を通じて風呂給湯器７０に取り込まれ熱交換器７２の第２熱交換水管７２ｂを通る間に加熱され、加熱後の湯水が風呂往き管７７を通じて風呂（浴槽）２へ戻される。
【００４９】
次に、風呂給湯システム１０の各種動作について説明する。
【００５０】
＜排熱回収動作＞
図３は、排熱回収動作における湯水の流れを表しており、排熱回収動作における湯水の流れる経路を太線で示してある。燃料電池４の排熱を回収して貯湯タンク１３内の湯水を加熱する排熱回収動作では、制御部２０は燃料電池４に指示して、一次循環回路５６のポンプ５７および排熱回収ポンプ５２を作動させる。これにより、一次循環回路５６を熱媒体流体が循環し、貯湯タンク１３内の湯水は、取水口１６から出て、熱回収配管（低温）５３ａ、排熱回収熱交換器５１、熱回収配管（高温）５３ｂ、Ａ方向の第１三方弁２１を経由して戻り口１７から貯湯タンク１３の上部に戻る循環経路で循環する。なお、第１三方弁２１の第１接続口２１ａには、一次循環回路５６を循環する熱媒体流体から排熱回収熱交換器５１での熱交換で吸熱して高温になった湯が到達するので制御部２０は第１三方弁２１をＡ方向にする。
【００５１】
給水は貯湯タンク１３の下部の給水口１４から供給され、排熱回収動作で加熱された湯は貯湯タンク１３の上部に戻されるので、貯湯タンク１３内には下部が低温で上部が高温となるような温度勾配が形成される。そして排熱回収動作を続けることで上部に溜まる高温の湯量が次第に増加する。
【００５２】
＜給湯動作＞
貯湯タンクユニット１１は風呂給湯器７０の近くに設置される場合もあれば、遠く離れて設置される場合もある。たとえば、２階に風呂があるような家屋では、風呂給湯器７０は２階の外壁に設置され貯湯タンクユニット１１および燃料電池４は１階に設置されるといったケースがあり、このような場合には装置間を結ぶ接続配管（高温）６１および接続配管（低温）６２の配管長が長くなって圧損の大きい設置状況になる。本発明の風呂給湯システム１０では、低水圧地域において、配管が長くて圧損が大きい設置状況になっても、出湯量を十分確保できるように、圧損の増加を抑えた給湯を行うようになっている。
【００５３】
給湯は以下の３つの制御モードのいずれかで行われる。
【００５４】
（１）第１モード（タンク出湯）
第１モードは、貯湯タンク１３に十分蓄熱されている場合の給湯動作である。図４は、第１モードの給湯動作における湯水の流れを表している。図中、湯水の流れる経路を太線で示してある。第１モードでは、混合器２３で貯湯タンク１３からの湯と給水とを混合して給湯設定温度の湯を作り、給湯する。風呂給湯器７０には給水は送らず、風呂給湯器７０での加熱はなく燃焼運転しない。
【００５５】
詳細には、混合器２３の第２混合器２３ｂは閉じ、第１混合器２３ａと第３混合器２３ｃの開度を調整して、出湯温度センサ３２によって検出される混合器２３の出側の湯の温度が給湯設定温度になるように制御する。ここでは、たとえば、貯湯タンク１３に設けた湯切れ温度センサ１８ｄの検出温度が、給湯設定温度（実際には、給湯配管などでの温度低下を考慮してたとえば給湯設定温度＋１℃とする）以上の場合は第１モードでの給湯を行う。
【００５６】
（２）第２モード（給湯器出湯モード）
第２モードは、貯湯タンク１３に利用可能な湯がない場合の給湯動作である。図５は、第２モードの給湯動作における湯水の流れを表している。図中、湯水の流れる経路を太線で示してある。第２モードでは、給水を風呂給湯器７０で給湯設定温度より高い温度に加熱した湯と給水とを混合器２３で混合して給湯設定温度の湯を給湯する。
【００５７】
詳細には、第２三方弁３８をＣ方向に設定し、風呂給湯器７０に給水を供給する。また、混合器２３の第１混合器２３ａは閉じ、第２混合器２３ｂと第３混合器２３ｃの開度を調整して、出湯温度センサ３２によって検出される混合器２３の出側の湯の温度が給湯設定温度になるように制御する。
【００５８】
なお、制御部２０は、風呂給湯器７０の出湯温度が給湯設定温度より十分高くなるように風呂給湯器７０に対して出湯温度を指示する。これにより、給水と混ぜて給湯設定温度を得るために必要な風呂給湯器７０からの湯の量が少なくなり、接続配管（低温）６２、風呂給湯器７０および接続配管（高温）６１を経由することにより生じる圧損を小さく抑えることができる。たとえば、給湯設定温度が４０℃ならば風呂給湯器７０から５５℃の湯をもらう。また給湯設定温度が６０℃ならば風呂給湯器７０から７５℃の湯をもらう、というようにする。
【００５９】
（３）第３モード（後混合出湯モード）
第３モードは、貯湯タンク１３内に蓄熱はあるが、温度が低く、貯湯タンク１３内の湯だけでは不十分な場合の給湯動作である。図６は、第３モードの給湯動作における湯水の流れを表している。図中、湯水の流れる経路を太線で示してある。第３モードは、たとえば、貯湯タンク１３の湯切れ温度センサ１８ｄの検出温度が給湯設定温度より低いが給湯設定温度より１０℃以上は低くないような場合に選択される。
【００６０】
第３モードでは、給水を風呂給湯器７０で加熱した湯と貯湯タンク１３からの湯と給水とを混合して給湯設定温度の湯を作る。詳細には、第２三方弁３８をＣ方向とし、給水を風呂給湯器７０で加熱して作った湯と、給水と、貯湯タンク１３からの湯とを混合器２３で混合して給湯設定温度の湯を作り、給湯する。貯湯タンク１３内の湯の温度が低くても、風呂給湯器７０からもらった高温の湯と混ぜて使うことにより、貯湯タンク１３に貯めた蓄熱をより使い切ることができるため、第１、第２モードのみで制御する場合よりも省エネ性が増す。
【００６１】
なお、制御部２０は第１モードを優先選択し、第１モードで設定温度の湯を給湯できない場合であって給湯設定温度より所定温度（たとえば、１０℃）以上低くない湯を貯湯タンク１３から供給可能な場合は第３モードを選択し、第３モードを選択できない場合に第２モードを選択する。
【００６２】
＜注湯動作＞
図７は、注湯動作における湯水の流れを表している。図中、湯水の流れる経路を太線で示してある。注湯動作では、混合器２３の出側の湯を風呂給湯器７０の給水接続口へ供給すると共に、貯湯タンク１３からの湯もしくは貯湯タンク１３からの湯と給水とを混合した湯を混合器２３でつくり、混合器２３の出側から出た湯に風呂給湯器７０による加熱を足してもしくは追加の加熱無しに風呂給湯器７０から風呂（浴槽）２へ風呂設定温度の注湯が行われるように制御する。
【００６３】
具体的には、貯湯タンク１３に蓄熱がある状態で注湯（湯張り）する場合には、第２三方弁３８をＤ方向とし、混合器２３で貯湯タンク１３からの湯と給水とを混合してつくった風呂設定温度の湯を風呂給湯器７０に送り、風呂給湯器７０の注湯回路により湯張りする。貯湯タンクユニット１１の制御部２０は風呂給湯器７０に対してバーナ７３の燃焼オフのまま注湯電磁弁７９を開くように指示する。貯湯タンクユニット１１が有する混合器２３の出側からの湯は、接続配管（低温）６２から風呂給湯器７０の注湯回路、すなわち、風呂給湯器７０内の入水管７４、第１熱交換水管７２ａ、注湯電磁弁７９、連結管７８を経由した後、風呂往き管７７と風呂戻り管７６の双方もしくは一方、を通って風呂（浴槽）２へ流出し注湯される。
【００６４】
貯湯タンク１３に蓄熱がない場合の注湯は、第２三方弁３８をＤ方向とし、貯湯タンク１３内の風呂設定温度よりも低い温度の湯、または給水、またはそれらを混合した風呂設定温度よりも低い温度の湯を風呂給湯器７０に送り、風呂給湯器７０において風呂設定温度まで加熱し、風呂給湯器７０内の注湯回路を通じて注湯する。
【００６５】
なお、水位の検知や追い焚きなど全自動風呂に用いる機能は、全て風呂給湯器７０の有する機能をそのまま使用する。
【００６６】
このように、第２三方弁３８をＤ方向に切り替えて混合器２３の出側からの湯を風呂給湯器７０に供給するので、貯湯タンク内の湯を活用して注湯することができる。
【００６７】
次に、燃料電池４へのガス供給の遮断を検出した場合の貯湯タンクユニット１１の動作について説明する。
【００６８】
図８は、貯湯タンクユニット１１の制御部２０が燃料電池４へのガス供給の遮断を検出する処理の流れを示している。貯湯タンク１３の蓄熱量が、燃料電池４が稼働を停止する所定の上限量に達した（この状態を満蓄とする）か否かを判断する（ステップＳ１０１）。ここでは、貯湯タンク１３に設けた第１温度センサ１８ａ〜タンク上部温度センサ１８ｅのすべての温度センサの検出温度が所定温度（たとえば８０℃）以上の場合に満蓄と判断する。
【００６９】
満蓄でなければ（ステップＳ１０１；Ｎｏ）、熱回収配管（高温）５３ｂに設けた熱回収配管高温側温度センサ２２ａの検出温度が所定の温度低下特性で低下するか否かを判断する。所定の温度低下特性は、燃料電池４が稼働状態から発電停止状態に遷移した場合に、熱回収配管（高温）５３ｂ内の湯水が自然放熱によって温度低下する場合の特性である。この特性は、予め調べて登録してある。ステップＳ１０２では、該登録してある温度低下特性と熱回収配管高温側温度センサ２２ａの検出する温度変化を比較して判断する。
【００７０】
熱回収配管高温側温度センサ２２ａの検出温度が自然放熱に対応した所定の温度低下特性で低下した場合は（ステップＳ１０２；Ｙｅｓ）、ガス供給が遮断したと判断する（ステップＳ１０４）。
【００７１】
すなわち、満蓄でなければ、燃料電池４は稼働するはずである。また、燃料電池４が稼働停止すると、熱回収配管（高温）５３ｂ内の水温が自然放熱によりゆっくりと低下する。そこで、満蓄でないにもかかわらず、熱回収配管（高温）５３ｂ内の水温が自然放熱のようにゆっくり低下する場合は、ガス供給の遮断により燃料電池４が発電を停止したと判断する。
【００７２】
また、満蓄でない場合には（ステップＳ１０１；Ｎｏ）、風呂給湯器７０で点火エラーが発生したか否かを調べる（ステップＳ１０３）。ここでは、制御部２０が風呂給湯器７０の制御部９１に問い合わせて点火エラーの有無を確認する。
【００７３】
点火エラーが発生している場合は（ステップＳ１０３；Ｙｅｓ）、ガス供給が遮断したと判断する（ステップＳ１０４）。すなわち、満蓄ならば燃料電池４は発電していると考えられるので、満蓄でなく、かつ、点火エラーがある場合に、ガス供給が遮断したと判断している。
【００７４】
なお、満蓄でなく、かつ、熱回収配管高温側温度センサ２２ａの検出温度が自然放熱に対応した所定の温度低下特性で低下し、かつ、点火エラーが生じた場合に、ガスの供給が遮断したと判断するようにしてもよい。
【００７５】
図９は、燃料電池４へのガス供給の遮断に対応する貯湯タンクユニット１１の動作を示す流れ図である。図８に示す処理により、ガス供給遮断の有無を判定する（ステップＳ２０１）。ガス供給が遮断したと判断した場合（ステップ２０１；Ｙｅｓ）、燃料電池４の発電が異常停止したことを報知する（ステップＳ２０２）。さらに、ユーザにお湯を使うか否かを問い合わせる（ステップＳ２０３、Ｓ２０４）。ここでは、リモコン９２に「お湯をわかしますか」といったメッセージを表示して（ステップＳ２０３）問い合わせを行い、これに対する応答の操作をリモコン９２にて受け付ける（ステップＳ２０４）。
【００７６】
「お湯を沸かす」旨の回答をユーザから受けた場合は（ステップＳ２０４；Ｙｅｓ）、貯湯タンク１３が満蓄か否かを判別し（ステップＳ２０５）、満蓄でなければ（ステップＳ２０５；Ｎｏ）、燃料電池４の電気式ヒータ５８を用いて貯湯タンク１３内の湯水を昇温する（ステップＳ２０６）。該昇温に必要な電力は商用電源から供給される。
【００７７】
図１０は、電気式ヒータ５８で貯湯タンク１３内の湯水を昇温する動作を示している。図中、電気式ヒータ５８による加熱において湯水の流れる経路を太線で示してある。ステップＳ２０６の動作では、制御部２０は燃料電池４に対して、電気式ヒータ５８を通電し、ポンプ５７、排熱回収ポンプ５２を稼働するように指示する。これにより、一次循環回路５６内の熱媒体流体が電気式ヒータ５８で加熱されながら循環すると共に、その熱を、貯湯タンク１３から出て熱回収配管５３を循環する湯水が吸熱し、貯湯タンク１３内の湯水が加熱される。なお、第１三方弁２１の第１接続口２１ａには、排熱回収熱交換器５１での熱交換で吸熱して高温になった湯が到達するので、第１三方弁２１はＡ方向になる。
【００７８】
満蓄の場合は（ステップＳ２０５；Ｙｅｓ）、燃料電池４の電気式ヒータ５８による昇温動作を行わずに、ステップＳ２０７へ移行する。
【００７９】
ステップＳ２０７では、一定時間間隔で、燃料電池４に対して再起動をかける。詳細には、一定時間を計時するタイマ（再起動タイマとする）がタイムアップしたか否かを調べ（ステップＳ２０７）、タイムアップしていなければ（ステップＳ２０７；Ｎｏ）、ステップＳ２０５に戻って処理を継続する。
【００８０】
再起動タイマがタイムアップした場合は（ステップＳ２０７；Ｙｅｓ）、燃料電池４の再起動を試みる（ステップＳ２０８）。この再起動により燃料電池４が稼働して発電に成功した場合は（ステップＳ２０９；Ｙｅｓ）、電気式ヒータ５８による加熱を中止して、ステップＳ２０１に戻る。燃料電池４が発電しない場合は（ステップＳ２０９；Ｎｏ）、ステップＳ２０５に戻って処理を継続する。
【００８１】
お湯を使わないとの回答をユーザから受けた場合は（ステップＳ２０４；Ｎｏ）、電気式ヒータ５８による加熱を行わずに、一定時間間隔で燃料電池４に対して再起動をかける（ステップＳ２１０からＳ２１２）。そして、発電に成功したら（ステップＳ２１２；Ｙｅｓ）、ステップＳ２０１に戻る。
【００８２】
このように、ガス供給が遮断されて燃料電池４が発電できない状態になると、燃料電池４が有する起動時等にしか使用されない電気式ヒータ５８を利用して貯湯タンク１３内の湯水を昇温するので、ガスの遮断により燃料電池４や風呂給湯器７０が稼働しない状況においても、ユーザにお湯の使える環境を提供することができる。
【００８３】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８４】
本発明の貯湯システムは、風呂給湯システムのうちの貯湯タンクユニット１１を備えれば、排熱回収装置５０や風呂給湯器７０、燃料電池４は含まれても含まれなくてもよく、たとえば、排熱回収装置５０は燃料電池４に含まれる構成でもよいし、風呂給湯器７０は既存のものを使用してもよい。
【００８５】
実施の形態では、バックアップ熱源機を、バーナ７３を燃焼させるタイプの風呂給湯器７０としたが、これに限定されるものではない。
【００８６】
実施の形態では、給湯の制御モードを第１モード、第２モード、第３モードとした好適例を示したが、少なくとも第１、第２モードがあれば、第３モードのない構成でもかまわない。
【００８７】
貯湯タンクユニット１１の構成は実施の形態に例示したものに限定されない。たとえば、実施の形態では、風呂給湯器７０からの湯を混合器２３に戻して混合可能な構成であったが、混合器２３では、貯湯タンク１３からの湯と給水とを混合して風呂給湯器７０に供給し、風呂給湯器７０からの湯はそのまま給湯栓へ供給するような構成であってもかまわない。
【００８８】
実施の形態では、ガス供給が遮断された状態において、燃料電池４の有する電気式ヒータ５８を利用して貯湯タンク１３内の湯水を昇温するようにしたが、昇温用の電気式ヒータはこれに限定されない。たとえば、貯湯タンクユニット１１の貯湯タンク１３内や熱回収配管５３の途中に電気式ヒータを設け、これを利用してもよい。
【００８９】
実施の形態では、燃料電池４の再起動を一定時間間隔で周期的に行ったが、再起動のタイミングは任意でよい。また、風呂給湯器７０から点火に関する情報を取得し、点火エラーなく点火できた場合に、燃料電池４の再起動を行うようにしてもよい。
【符号の説明】
【００９０】
２…風呂（浴槽）
３…暖房用放熱器
４…熱源機（燃料電池）
１０…風呂給湯システム
１１…貯湯タンクユニット
１２…給水管
１３…貯湯タンク
１４…給水口
１５…出湯口
１６…取水口
１７…戻り口
１８ａ…第１温度センサ
１８ｂ…第２温度センサ
１８ｃ…第３温度センサ
１８ｄ…湯切れ温度センサ
１８ｅ…タンク上部温度センサ
２０…制御部
２１…第１三方弁
２１ａ…第１接続口
２１ｂ…第２接続口
２１ｃ…第３接続口
２２ａ…熱回収配管高温側温度センサ
２２ｂ…熱回収配管低温側温度センサ
２３…混合器
２３ａ…第１混合器
２３ｂ…第２混合器
２３ｃ…第３混合器
２４…過圧逃がし弁
２５…吸気弁
２６…タンク出口温度センサ
２８…接続配管高温側温度センサ
２９…給湯高温温度センサ
３１…給湯配管
３１ｂ…配管
３２…出湯温度センサ
３３…ハイカット温度センサ
３４…流量センサ
３５…給水温度センサ
３６…減圧弁
３７ａ…逆止弁
３７ｂ…逆止弁
３７ｃ…逆止弁
３８…第２三方弁
３８ａ…第１接続口
３８ｂ…第２接続口
３８ｃ…第３接続口
３９…逆止弁
４１…排水管
４２…排水栓
５０…排熱回収装置
５１…排熱回収熱交換器
５１ａ…二次通水管
５２…排熱回収ポンプ
５３…熱回収配管
５３ａ…熱回収配管（低温）
５３ｂ…熱回収配管（高温）
５４…バイパス管
５６…一次循環回路
５７…ポンプ
５８…電気式ヒータ
６１…接続配管（高温）
６２…接続配管（低温）
７０…風呂給湯器
７２…熱交換器
７２ａ…第１熱交換水管
７２ｂ…第２熱交換水管
７３…バーナ
７３ａ…ガス供給管
７４…入水管
７５…出湯管
７６…風呂戻り管
７７…風呂往き管
７８…連結管
７９…注湯電磁弁
８１…水量サーボ
８２…出湯温度センサ
８３…バイパス管
８４…バイパス調整弁
８５…流量センサ
８６…入水温度センサ
８７…風呂循環ポンプ
８８…流水スイッチ
８９ａ…風呂往き温度センサ
８９ｂ…風呂戻り温度センサ
９１…制御部
９２…リモコン（共通リモコン）
【図１】
0006362469.tif 000002
【図２】
0006362469.tif 000003
【図３】
0006362469.tif 000004
【図４】
0006362469.tif 000005
【図５】
0006362469.tif 000006
【図６】
0006362469.tif 000007
【図７】
0006362469.tif 000008
【図８】
0006362469.tif 000009
【図９】
0006362469.tif 000010
【図１０】
0006362469.tif 000011